(57)【要約】      （修正有）【課題】従来提供してきたテレビ受信機に大きな改変を与えずコスト上昇を抑え外部取付け型のＩＣカードを使用できるケーブルハーネス及びテレビ受信機を提供する。【解決手段】ワイヤーハーネス２００は、Ｂ−ＣＡＳミニカードが挿入用のＢ−ＣＡＳカードソケット部２１０、ＲＦ信号コネクタ２２０、電源コネクタ２３０、ＡＶジャック２４０と、Ｂ−ＣＡＳ信号コネクタ２６０、ＲＦコネクタ２７０、電力ＡＶコネクタ２８０と、これらを連結する認証信号ケーブル２１１、ＲＦケーブル２２１、電源ケーブル２３１、ＡＶケーブル２４１を備え、各ケーブルが防水チューブで被覆される。テレビ受信機１００は、前側パネル１１０と裏側パネル１２０とで形成した防水空間部１０５に液晶表示装置１０１、スピーカー１０２、テレビ駆動基板１３０が配置され、テレビ駆動基板１３０には、裏側パネル１２０のハーネス取出孔１２１から挿入されたワイヤーハーネスの各コネクタが接続されている。【選択図】図１
0003208588.tif 000002
【実用新案登録請求の範囲】
【請求項１】
認証情報を格納した接触型のＩＣカードが挿入可能なカードソケットが配置された基板部と、一端部が前記カードソケットの出力端子に接続されて延設され、他端部に認証信号を伝達する接続用コネクタが配置された認証信号ケーブルと、前記カードソケットのカード挿入口を少なくとも露出した状態で前記カードソケットと前記基板部及び前記認証信号ケーブルの一端部とを覆う防水被覆とを備え、
前記認証信号ケーブルには、両端にＲＦコネクタを備えてテレビアンテナからのＲＦ信号を伝送するＲＦケーブル、両端に電力コネクタを備えて電力を供給する電力ケーブルが並設され、これらをまとめて被覆した１本のケーブル部を形成したことを特徴とするケーブルハーネス。
【請求項２】
両端にＡＶコネクタを備え、音声信号及び画像信号を伝送するＡＶケーブルを前記ケーブル部に配置したことを特徴とする請求項１に記載のケーブルハーネス。
【請求項３】
前側パネルと、この前側パネルの裏側を覆って防水空間部を形成する裏側パネルとを備え、
前記防水空間部には、前記前側パネルに表出される画像表示部及び音声出力部と、前記画像表示部、及び前記音声出力部に接続され、ＲＦ信号受信端子、認証信号受信端子、電力入力端子を含む入力端子部を備え、これらの入力端子部からの信号及び前記電力に基づいて前記画像表示部及び前記音声出力部を駆動するテレビ駆動基板と、が配置され、
前記ＲＦ信号受信端子、前記認証信号受信端子、前記電力入力端子には、請求項１又は請求項２に記載のケーブルハーネスの前記接続用コネクタ、前記ＲＦコネクタ、及び前記電力コネクタが接続され、前記認証信号、前記ＲＦ信号、及び前記電力が供給され、前記ケーブルハーネスの前記ケーブル部が前記裏側パネルを貫通し、前記ケーブル部と前記裏側パネルとの間には防水加工が施されていることを特徴とするテレビ受信機。
【請求項４】
前記裏側パネルが前記ケーブルハーネスを挿通可能な挿通孔を形成した壁部に取付け可能であり、前記ケーブル部が前記挿通孔から外部に導かれ、前記ケーブルハーネスの前記ＲＦ信号受信端子、前記認証信号受信端子、前記電力入力端子が、前記壁部に形成された孔部を介して外部のアンテナ端子、及び電源に接続可能であることを特徴とする請求項３に記載のテレビ受信機。
【請求項５】
無線リモコン装置からの信号を受信して前記テレビ駆動基板を制御して、テレビのチャンネル、音声ボリュームを制御する無線リモコン受信装置を備えることを特徴とする請求項３又は請求項４に記載のテレビ受信機。
【考案の詳細な説明】
【技術分野】
【０００１】
本考案は、ケーブルハーネス、及びこれを用いたテレビ受信機に関する。
【背景技術】
【０００２】
デジタル地上波、ＢＳ放送、ＣＳ放送を受信して再生するテレビ受信機には、限定受信方式が採用されている。このようなテレビ受信機では、認証情報を格納した接触式のＩＣカード（Ｂ−ＣＡＳ（登録商標）カード）を接続して映像表示の認証を行う必要がある。このＩＣカードは、テレビ受信機のカードスロットに挿入して使用される。また、このＩＣカードは、カード単位で受信契約情報が記録されているため、衛星放送受信契約や有料放送の視聴契約等の情報が記録されているカードを差し替えることにより他のテレビ受信機でも同様の視聴や録画が可能である。このため、テレビ受信機を買い替えた際にも従来使用していたＩＣカードを使用することにより買い替え前同様の視聴や録画が可能である。このため、テレビ受信機には、ＩＣカードをテレビ受信機の本体外部から挿入できる挿入口を備えることが一般的である。
【０００３】
一方、テレビ受信機として屋外で使用や、浴室での使用を前提として、防水仕様としたものがある、このような防水型のテレビ受信機では、防水加工されており、カード挿入口を設けると、カード挿入口から浸水が発生するため、カード挿入口を防水する必要がある。
【０００４】
特許文献１には、ＣＡＳ（限定受信システム）カードのカード挿入口を有するテレビ本体を浴室壁部の室内側壁面に取付け、室内側壁面に環状の止水パッキンを介してテレビ本体の裏面を密着させ、止水パッキンの内側にカード挿入口を臨ませたものが記載されている。
【０００５】
ところで、小型のテレビ受信機や安価なテレビ受信機では、テレビ受信機のカードスロット口を防水加工することはスペース的に困難である他、費用的に採用できない場合もある。このため、従来、出荷段階からテレビ受信機の内部に挿入済みとできる特別内蔵用カードまたは特別内蔵用ミニカードが提供されている。
【先行技術文献】
【特許文献】
【０００６】
【特許文献１】特開２０１２−８５０８８号公報
【考案の概要】
【考案が解決しようとする課題】
【０００７】
ところが、近年、上述した特別内蔵用カードまたは特別内蔵用ミニカードが廃止されることになった。これに対処するには、防水テレビにおいて、特許文献１に記載の技術のように防水された筐体の外部から通常のＩＣカードを取付けるようにする必要がある。
【０００８】
しかし、従来提供している防水型のテレビ受信機にこのような防水構造を採用すると、従来の金型やパーツを大幅に変更しなければならず、設計に手間がかかるほか、新規金型やパーツの準備に費用が嵩むという問題がある。
【０００９】
本考案は、上述した課題に鑑みてなされたものであり、従来提供してきたテレビ受信機に大きな改変を与えず、コスト上昇を抑えて外部取付け型のＩＣカードを使用できるようにすることを目的とする。
【課題を解決するための手段】
【００１０】
前記課題を解決する請求項１に記載の考案は、認証情報を格納した接触型のＩＣカードが挿入可能なカードソケットが配置された基板部と、一端部が前記カードソケットの出力端子に接続されて延設され、他端部に認証信号を伝達する接続用コネクタが配置された認証信号ケーブルと、前記カードソケットのカード挿入口を少なくとも露出した状態で前記カードソケットと前記基板部及び前記認証信号ケーブルの一端部とを覆う防水被覆とを備え、前記認証信号ケーブルには、両端にＲＦコネクタを備えてテレビアンテナからのＲＦ信号を伝送するＲＦケーブル、両端に電力コネクタを備えて電力を供給する電力ケーブルが並設され、これらをまとめて被覆した１本のケーブル部を形成したことを特徴とするケーブルハーネスである。
【００１１】
同様に請求項２に記載の考案は、請求項１に記載のケーブルハーネスにおいて、両端にＡＶコネクタを備え、音声信号及び画像信号を伝送するＡＶケーブルを前記ケーブル部に配置したことを特徴とする。
【００１２】
同じく請求項３に記載の考案は、前側パネルと、この前側パネルの裏側を覆って防水空間部を形成する裏側パネルとを備え、前記防水空間部には、前記前側パネルに表出される画像表示部及び音声出力部と、前記画像表示部、及び前記音声出力部に接続され、ＲＦ信号受信端子、認証信号受信端子、電力入力端子を含む入力端子部を備え、これらの入力端子部からの信号及び前記電力に基づいて前記画像表示部及び前記音声出力部を駆動するテレビ駆動基板と、が配置され、前記ＲＦ信号受信端子、前記認証信号受信端子、前記電力入力端子には、請求項１又は請求項２に記載のケーブルハーネスの前記接続用コネクタ、前記ＲＦコネクタ、及び前記電力コネクタが接続され、前記認証信号、前記ＲＦ信号、及び前記電力が供給され、前記ケーブルハーネスの前記ケーブル部が前記裏側パネルを貫通し、前記ケーブル部と前記裏側パネルとの間には防水加工が施されていることを特徴とするテレビ受信機である
【００１３】
同じく請求項４に記載の考案は、請求項３に記載のテレビ受信機において、前記裏側パネルが前記ケーブルハーネスを挿通可能な挿通孔を形成した壁部に取付け可能であり、前記ケーブル部が前記挿通孔から外部に導かれ、前記ケーブルハーネスの前記ＲＦ信号受信端子、前記認証信号受信端子、前記電力入力端子が、前記壁部に形成された孔部を介して外部のアンテナ端子、及び電源に接続可能であることを特徴とする。
【００１４】
同じく請求項５に記載の考案は、請求項３又は請求項４に記載のテレビ受信機において無線リモコン装置からの信号を受信して前記テレビ駆動基板を制御して、テレビのチャンネル、音声ボリュームを制御する無線リモコン受信装置を備えることを特徴とする。
【考案の効果】
【００１５】
本考案によれば、従来提供してきたテレビ受信機に大きな改変を与えず、コスト上昇を抑えて外部取付け型のＩＣカードを使用できる。
【００１６】
即ち請求項１に記載のケーブルハーネスは、基板部には放送認証用の接触型ＩＣカードが挿入可能なカードソケットが配置され、認証信号ケーブルは一端部がカードソケットの出力端子に接続されて延設され、他端部に認証信号を伝達する接続用コネクタが配置され、防水被覆はカードソケットのカード挿入口を少なくとも露出した状態でカードソケット及び基板部及び前記信号ケーブルの一端部を覆い、信号ケーブルには、両端にＲＦコネクタを備えてテレビアンテナからのアンテナ信号を伝送するＲＦケーブル、両端に電力コネクタを備えて電力を供給する電力ケーブルが並設され、これらをまとめて防水被覆した１本のケーブル部を形成している。
よって、防水状態としたカードソケットをテレビ受信機から引出したケーブル部の先端に配置されて、テレビ受信機の構成を大きく変えることなく、外部取付け型のＩＣカードを使用できる。また、ケーブルハーネスには、ＲＦ端子、電源ケーブルが並設されているため、テレビ受信機にＲＦ信号及び電力を供給できる。
【００１７】
また請求項２に記載のケーブルハーネスは、ワイヤー部には、両端にＡＶコネクタを備え音声信号及び画像信号を伝送するＡＶケーブルを配置しているので、テレビ受信機に外部からＡＶ信号を供給できる。
【００１８】
また請求項３に記載のテレビ受信機は、前側パネルと裏側パネルとで形成した防水空間に、画像表示部及び音声出力部と、ＲＦ信号受信端子、認証信号受信端子、電力入力端子を含む入力端子部を備え、これらの入力端子部からの信号及び前記電力に基づいて前記画像表示部及び前記音声出力部を駆動するテレビ駆動基板が配置されおり、ケーブルハーネスのケーブル部が裏側パネルを貫通してこの貫通する部分には防水加工が施されている。
このため、テレビ受信機の防水状態を損ねることがないし、従来提供してきたテレビ受信機のテレビ駆動基板のＩＣカードソケットに認証信号受信端子を設けるだけで、大きな改変を与える必要がない。よって、コスト上昇を抑えて外部取付け型のＩＣカードを使用できる。
【００１９】
また、請求項４に記載のテレビ受信機は、裏側パネルがケーブルハーネスを挿通可能な挿通孔を形成した壁部に取付け可能であり、ケーブル部が前記挿通孔から外部に導かれ、ケーブルハーネスのＲＦ信号受信端子、認証信号受信端子、電力入力端子が、壁部に形成された孔部を介して外部のアンテナ端子、及び電源に接続可能である。
よって、ケーブルハーネスのケーブル部を壁部の挿通孔から外部に導き、テレビ受信機に外部から認証信号、ＲＦ信号、電力等を供給でき、従来提供してきたテレビ受信機に大きな改変を与えず、コスト上昇を抑えて外部取付け型のＩＣカードを使用できる。
【００２０】
そして、請求項５に記載のテレビ受信機は、無線リモコン装置からの信号を受信して前記テレビ駆動基板を制御して、テレビのチャンネル、音声ボリュームを制御することができる。
【図面の簡単な説明】
【００２１】
【図１】本考案の実施形態に係るテレビ受信機を示すものであり、（ａ）は正面図、（ｂ）は底面図、（ｃ）は背面図である。
【図２】同テレビ受信機のテレビ駆動基板とケーブルハーネスの接続状態を示す模式図である。
【図３】本考案の実施形態に係るケーブルハーネスを示すものであり、（Ａ）はケーブルハーネスを示す模式図、（Ｂ）はカードソケットと認証情報ケーブルとの接続状態を示す模式図である。
【図４】同テレビ受信機におけるケーブルハーネスの接続状態を示す模式図である。
【図５】同テレビ受信機の壁部への取付け状態を示すものであり、（ａ）は浴室に配置されたテレビ受信機を示す模式図、（ｂ）は浴室の壁部への取付状態を示す模式図、（ｃ）は壁部へのハーネスの取付状態を示す模式図である。
【考案を実施するための形態】
【００２２】
本考案を実施するための形態に係るテレビ受信機について説明する。図１は本考案の実施形態に係るテレビ受信機を示すものであり、（ａ）は正面図、（ｂ）は底面図、（ｃ）は背面図、図２は同テレビ受信機のテレビ駆動基板とケーブルハーネスの接続状態を示す模式図である。本発明の実施形態に係るテレビ受信機１００は、前側パネル１１０とこの前側パネル１１０の裏側を覆って防水空間部１０５を形成する裏側パネル１２０とを備える。
【００２３】
防水空間部１０５には、映像表示部である液晶表示装置１０１と、音声出力部であるスピーカー１０２と、操作スイッチ１０３と、液晶表示装置１０１及びスピーカー１０２を駆動するテレビ駆動基板１３０が配置されている。液晶表示装置１０１、スピーカー１０２及び操作スイッチ１０３は、前側パネル１１０側に表出されており、前側パネル１１０側から操作スイッチ１０３の操作及びテレビ視聴か可能である。なお、テレビ受信機１００には図示していないリモコンで操作できるものとできる。ここで、前側パネル１１０、裏側パネル１２０、液晶表示装置１０１、スピーカー１０２、操作スイッチ１０３は、従前のテレビ受信機と同一仕様のものを使用でき、新たな設計の手間とコストの上昇を防止できる。
【００２４】
また前側パネル１１０と裏側パネル１２０とは、裏面から多数のねじ１２２で固定され、前側パネル１１０と裏側パネル１２０の間には防水部材例えばＯリングが配置されている。このテレビ受信機１００は、浴室４００の壁部４１０の内側に取付けられるものであり（図５（ａ）参照）、裏側パネル１２０には、壁部４１０ヘの取り付け用の上側係止部１２３、及び下側係止部１２４が形成されている。
【００２５】
テレビ駆動基板１３０は、裏側パネル１２０側に配置されている。テレビ駆動基板１３０は、エポキシ基板上にテレビ受信機を備える各種回路基板が配置されている。また、テレビ駆動基板１３０は、液晶表示装置１０１、スピーカー１０２、操作スイッチ１０３に接続されているほか、チューナ基板１６０、Ｂ−ＣＡＳミニカード３１０からの信号が入力される認証信号受信端子１４０、アンテナ出力が入力されるＲＦ信号受信端子１５０、電力及びＡＶ信号が入力される電力ＡＶ入力端子部１７０を備える。ここで、認証信号受信端子１４０は、従来のテレビ受信機に使用していたテレビ駆動基板のＢ−ＣＡＳカードスロットに変えて認証信号受信端子１４０を取付けるものである。このため、テレビ駆動基板１３０は従前のテレビ受信機に使用していたテレビ駆動基板から大きく改変する必要がなく、新たな設計の手間とコストの上昇を防止できる。
【００２６】
認証信号受信端子１４０、ＲＦ信号受信端子１５０、電力ＡＶ入力端子部１７０には、それぞれ、本考案の実施形態に係るワイヤーハーネス２００が接続されている。テレビ駆動基板１３０に接続されたワイヤーハーネス２００は、裏側パネル１２０に開設されたハーネス取出孔１２１からテレビ受信機１００の外部に取り出されている。ハーネス取出孔１２１とワイヤーハーネス２００との間には防水部材として防水スポンジ１２６が配置される。
【００２７】
次にワイヤーハーネス２００について説明する。図３は本考案の実施形態に係るケーブルハーネスを示すものであり、（ａ）はケーブルハーネスを示す模式図、（ｂ）はカードソケットと認証情報ケーブルとの接続状態を示す模式図である。
【００２８】
先ずワイヤーハーネス２００の全体構造について説明する。ワイヤーハーネス２００は、図５（ａ）に示すように、テレビ受信機１００の外部に配置される一端に、Ｂ−ＣＡＳミニカード３１０が挿入されるＢ−ＣＡＳカードソケット部２１０と、ＲＦ信号が入力されるＲＦ信号コネクタ２２０と、電力が供給される電源コネクタ２３０と、ＡＶ信号が入力されるＡＶジャック２４０とを備える。また、ワイヤーハーネス２００のテレビ受信機１００内部側には、認証信号受信端子１４０に接続されるＢ−ＣＡＳ信号コネクタ２６０と、ＲＦ信号受信端子１５０に接続されるＲＦコネクタ２７０と、電力ＡＶ入力端子部１７０に接続される電力ＡＶコネクタ２８０とが配置される。
【００２９】
ワイヤーハーネス２００において、Ｂ−ＣＡＳカードソケット部２１０とＢ−ＣＡＳ信号コネクタ２６０との間は認証信号ケーブル２１１で連結され、ＲＦ信号コネクタ２２０とＲＦコネクタ２７０の間はＲＦケーブル２２１で連結され、電源コネクタ２３０と電力ＡＶコネクタ２８０の間は電源ケーブル２３１で、ＡＶジャック２４０と電力ＡＶコネクタ２８０との間はＡＶケーブル２４１で連結される。
【００３０】
そして、認証信号ケーブル２１１、ＲＦケーブル２２１、電源ケーブル２３１、ＡＶケーブル２４１はその中間部が防水被覆として防水チューブ２５０で被覆されている。防水チューブ２５０としては、熱収縮チューブを使用することができる。また、電源ケーブル２３１とＡＶケーブル２４１とは電力ＡＶコネクタ２８０の直前まで被覆され１本とされてる。なお、図中符号２５１、２５２、２５３は防水チューブ２５０の両端部に設けられた防水用の締結部材である。このワイヤーハーネス２００は、従前のテレビ受信機で使用していたワイヤーハーネスにＣＡＳカードソケット部２１０、認証信号ケーブル２１１、ＣＡＳ信号コネクタ２６０を付加するものであり、製造等のコストの上昇は最小限ですむ。
【００３１】
次にＢ−ＣＡＳカードソケット部２１０について説明する。図３（Ｂ）において、（ａ）はＢ−ＣＡＳカードソケット部２１０の平面図、（ｂ）は正面図、（ｃ）は被覆前における平面図、（ｄ）は同正面図、（ｅ）はＣＡＳ信号コネクタを示す側面図である。
【００３２】
Ｂ−ＣＡＳカードソケット部２１０は、図３（ｂ）に示すように、エポキシ基板で形成された基板部２１５上にＢ−ＣＡＳミニカード３１０が挿入されるソケット部２１６を配置して周囲を防水被覆２１７で覆ったものである。防水被覆２１７は、ソケット部２１６のカード挿入口２１６ａを少なくとも露出した状態でＢ−ＣＡＳカードソケット部２１０と基板部２１５及び認証信号ケーブル２１１の一端部とを覆う。防水被覆２１７としては熱収縮チューブを使用することができる。従って、ＣＡＳカードソケット部２１０の製造には大きな手間がかからず、コストも抑えることができる。
【００３３】
図４は同テレビ受信機におけるケーブルハーネスの接続状態を示す模式図である。上述のワイヤーハーネス２００が配置され、組み立てられたテレビ受信機１００からは、Ｂ−ＣＡＳカードソケット部２１０、ＲＦ信号コネクタ２２０、電源コネクタ２３０、ＡＶジャック２４０が延設されている。
【００３４】
このテレビ受信機１００を実際に使用するには、Ｂ−ＣＡＳカードソケット部２１０に、テレビ受信機１００とは別に入手したＢ−ＣＡＳミニカード３１０を挿入し、ＲＦ信号コネクタ２２０にアンテナ３５１を接続し、電源コネクタ２３０に電源ボックス３６１を接続し、ＡＶジャック２４０に光ディスクプレーヤー、ＨＤＤレコーダ等のＡＶ機器３４３を接続する。なお、この例では、アンテナ３５１には信号増幅用のブースタ３５２と分配器３５３が接続され、電源ボックス３６１には、屋内開閉器３６３、漏電遮断器３６４が取付けられている。また、電源ボックス３６１には避雷器３６５（図５参照）を取付けることができる。
【００３５】
そして、ＲＦ信号コネクタ２２０と分配器３５３とは、両端にＲＦコネクタ３２１、３２２を配置した延長ＲＦケーブル３２０で接続される。また、電源コネクタ２３０と電源ボックス３６１のコネクタ３６２とは、両端に電源コネクタ３３１、３３２を配置した延長電源ケーブル３３０で接続される。更に、ＡＶジャック２４０とＡＶ機器３４３とは一端にＡＶコネクタ３４１が他方にピン端子３４２が接続された延長ＡＶケーブル３４０で接続される。
【００３６】
次にこのテレビ受信機１００の浴室４００への配置状態について説明する。図５は同テレビ受信機の壁部への取付け状態を示すものであり、（ａ）は浴室に配置されたテレビ受信機を示す模式図、（ｂ）は浴室の壁部への取付状態を示す模式図、（ｃ）は壁部へのハーネスの取付状態を示す模式図である。
【００３７】
テレビ受信機１００は、浴室４００の壁部４１０に配置される。テレビ受信機１００を壁部４１０に配置するには、壁部４１０にワイヤーハーネス２００挿通用の孔部４１１を形成しておく。そして、壁部４１０に設置プレート１８０を配置し、設置プレート１８０の上側取付部１８１にテレビ受信機１００の上側係止部１２３を、下側取付部１８２にテレビ受信機１００の下側係止部１２４を取付ける。そして、孔部４１１から壁部４１０の裏側に伸ばしたワイヤーハーネス２００に延長ＲＦケーブル３２０、延長電源ケーブル３３０、延長ＡＶケーブル３４０を配置して、アンテナ３５１、電源ボックス３６１、ＡＶ機器３４３（図５には示していない）を接続する。本実施形態では、アンテナ３５１は屋外に、電源ボックス３６１は浴室４００の天井裏に配置される。これらの設置位置はテレビ受信機１００の設置状態により適宜変更することができる。
【００３８】
以上のように、本実施形態に係るケーブルハーネス、及びこれを用いたテレビ受信機によれば、従来提供してきたテレビ受信機に大きな改変を与えず、コスト上昇を抑えて外部取付け型のＩＣカードを使用できる。
【符号の説明】
【００３９】
１００：テレビ受信機
１０１：液晶表示装置
１０２：スピーカー
１０３：操作スイッチ
１０５：防水空間部
１１０：前側パネル
１２０：裏側パネル
１２１：ハーネス取出孔
１２３：上側係止部
１２４：下側係止部
１２６：防水スポンジ
１３０：テレビ駆動基板
１４０：認証信号受信端子
１５０：ＲＦ信号受信端子
１６０：チューナ基板
１７０：電力ＡＶ入力端子部
１８０：設置プレート
１８１：上側取付部
１８２：下側取付部
２００：ワイヤーハーネス
２１０：Ｂ−ＣＡＳカードソケット部
２１１：認証信号ケーブル
２１５：基板部
２１６：ソケット部
２１６ａ：カード挿入口
２１７：防水被覆
２２０：ＲＦ信号コネクタ
２２１：ＲＦケーブル
２３０：電源コネクタ
２３１：電源ケーブル
２４０：ＡＶジャック
２４１：ＡＶケーブル
２５０：防水チューブ
２６０：Ｂ−ＣＡＳ信号コネクタ
２７０：ＲＦコネクタ
２８０：電力ＡＶコネクタ
３１０：Ｂ−ＣＡＳミニカード
３２０：延長ＲＦケーブル
３２１、３２２：ＲＦコネクタ
３３０：延長電源ケーブル
３３１、３３２：電源コネクタ
３４０：延長ＡＶケーブル
３４１：ＡＶコネクタ
３４２：ピン端子
３４３：ＡＶ機器
２４０：ＡＶジャック
３５１：アンテナ
３５２：ブースタ
３５３：分配器
３６１：電源ボックス
３６２：コネクタ
３６３：屋内開閉器
３６４：漏電遮断器
３６５：避雷器
４００：浴室
４１０：壁部
４１１：孔部
【図１】
0003208588.tif 000003
【図２】
0003208588.tif 000004
【図３】
0003208588.tif 000005
【図４】
0003208588.tif 000006
【図５】
0003208588.tif 000007